(57)【要約】    【課題】  効率よく手術関連業務を行うことができるように支援する装置を提供する。    【解決手段】  手術予定データ記録手段２は、手術室、手術機器などの非代替物的資源、術式特定情報、手術日などを含む手術予定を、手術予定データ１０として記録する。必要処置データ生成手段４は、手術対応処置データ１２を参照して、術式特定情報に基づき、手術前における当該患者に対する必要処置を決定する。さらに、手術日、患者特定情報を考慮して、手術前の必要処理が適切に行われているかどうかを管理するために用いる必要処置データ１６を生成する。必要代替性物的資源データ生成手段６は、手術対応代替性物的資源データ１４を参照して、前記手術予定データ１０に含まれる術式特定情報、手術日に基づき、当該手術に必要な滅菌済みのメスなどを決定し、必要代替性物的資源データ１８を生成する。調達管理手段２２は、このデータに基づいて、代替性物的資源の発注、滅菌処理などの日程を決定する。【選択図】  図１
2016062480.tif 000002
【特許請求の範囲】
【請求項１】
手術の術式特定情報に対応付けて、少なくとも当該手術の術前に必要な処置を記述した手術対応処置データと、手術の術式特定情報に対応付けて、当該手術に必要な代替性物的資源を記述した手術対応代替性物的資源データとを記録した記録部と、
術式特定情報と、執刀関連人的資源と、非代替性物的資源と、手術日と、患者特定情報とを少なくとも含む手術予定を手術予定データとして記録する手術予定データ記録手段と、
前記手術対応処置データを参照し、前記手術予定データに含まれる術式特定情報、手術日、患者特定情報に基づいて、手術前に当該患者に対する必要処置を決定し、手術前の患者に対する必要処置が適切に行われているかどうかを管理するために用いる必要処置データを生成する必要処置データ生成手段と、
前記手術対応代替性物的資源データを参照し、前記手術予定データに含まれる術式特定情報、手術日に基づいて、当該手術に必要な代替性物的資源を決定し、手術日までに当該代替性物的資源を確保できるように管理するために用いる必要代替性物的資源データを生成する必要代替性物的資源データ生成手段と、
を備えた手術関連業務支援装置。
【請求項２】
コンピュータによって手術関連業務支援装置を実現するための手術関連業務支援プログラムであって、コンピュータを、
術式特定情報と、執刀関連人的資源と、非代替性物的資源と、手術日と、患者特定情報とを少なくとも含む手術予定を手術予定データとして記録する手術予定データ記録手段と、
手術の術式特定情報に対応付けて、少なくとも当該手術の術前に必要な処置を記述した手術対応処置データを参照し、前記手術予定データに含まれる術式特定情報、手術日、患者特定情報に基づいて、手術前に当該患者に対する必要処置を決定し、手術前の患者に対する必要処置が適切に行われているかどうかを管理するために用いる必要処置データを生成する必要処置データ生成手段と、
手術の術式特定情報に対応付けて、当該手術に必要な代替性物的資源を記述した手術対応代替性物的資源データを参照し、前記手術予定データに含まれる術式特定情報、手術日に基づいて、当該手術に必要な代替性物的資源を決定し、手術日までに当該代替性物的資源を確保できるように管理するために用いる必要代替性物的資源データを生成する必要代替性物的資源データ生成手段として機能させるための手術関連業務支援プログラム。
【請求項３】
請求項１の装置または請求項２のプログラムにおいて、
前記執刀関連人的資源は、少なくとも、執刀医、麻酔医、助手、看護師のいずれか一つを含み、
前記非代替性物的資源は、少なくとも、手術室、手術機器のいずれか一つを含み、
前記代替性物的資源は、少なくとも、使い捨ての手術器具、滅菌処理によって再利用可能な手術器具のいずれか一つを含むことを特徴とする装置またはプログラム。
【請求項４】
請求項１〜３のいずれかの装置またはプログラムにおいて、
前記手術前の必要処置は、少なくとも、看護師が行う、検温、リストバンド装着、担当医からの説明の完了の確認いずれか一つを含むことを特徴とする装置またはプログラム。
【請求項５】
請求項４の装置またはプログラムにおいて、
前記手術前の必要処置が適切に行われているかどうかの管理は、必要処置データに基づいて、各看護師によって処理されるべき処置を記録しておき、個々の処置が完了した旨を受けると、次の処置を行う看護師に対して連絡することによって行われることを特徴とする装置またはプログラム。
【請求項６】
請求項１〜５のいずれかの装置またはプログラムにおいて、
前記手術関連業務支援装置は、サーバ装置として構築されていることを特徴とする装置またはプログラム。
【請求項７】
コンピュータによる手術関連業務支援方法であって、
コンピュータが、術式特定情報と、執刀関連人的資源と、非代替性物的資源と、手術日と、患者特定情報とを少なくとも含む手術予定を手術予定データとして記録し、
コンピュータが、手術の術式特定情報に対応付けて、少なくとも当該手術の術前に必要な処置を記述した手術対応処置データを参照し、前記手術予定データに含まれる術式特定情報、手術日、患者特定情報に基づいて、手術前に当該患者に対する必要処置を決定し、手術前の患者に対する必要処置が適切に行われているかどうかを管理するために用いる必要処置データを生成し、
コンピュータが、手術の術式特定情報に対応付けて、当該手術に必要な代替性物的資源を記述した手術対応代替性物的資源データを参照し、前記手術予定データに含まれる術式特定情報、手術日に基づいて、当該手術に必要な代替性物的資源を決定し、手術日までに当該代替性物的資源を確保できるように管理するために用いる必要代替性物的資源データを生成することを特徴とする手術関連業務支援方法。
【請求項８】
手術の術式特定情報に対応付けて、少なくとも当該手術の術前に必要な処置を記述した手術対応処置データと、手術の術式特定情報に対応付けて、当該手術に必要な物的資源を記述した手術対物的資源データとを記録した記録部と、
術式特定情報と、執刀関連人的資源と、手術日と、患者特定情報とを少なくとも含む手術予定を手術予定データとして記録する手術予定データ記録手段と、
前記手術対応処置データを参照し、前記手術予定データに含まれる術式特定情報、手術日、患者特定情報に基づいて、手術前に当該患者に対する必要処置を決定し、手術前の患者に対する必要処置が適切に行われているかどうかを管理するために用いる必要処置データを生成する必要処置データ生成手段と、
前記手術対応物的資源データを参照し、前記手術予定データに含まれる術式特定情報、手術日に基づいて、当該手術に必要な物的資源を決定し、手術日までに当該物的資源を確保できるように管理するために用いる必要物的資源データを生成する必要物的資源データ生成手段と、
を備えた手術関連業務支援装置。
【請求項９】
コンピュータによって手術関連業務支援装置を実現するための手術関連業務支援プログラムであって、コンピュータを、
術式特定情報と、執刀関連人的資源と、手術日と、患者特定情報とを少なくとも含む手術予定を手術予定データとして記録する手術予定データ記録手段と、
手術の術式特定情報に対応付けて、少なくとも当該手術の術前に必要な処置を記述した手術対応処置データを参照し、前記手術予定データに含まれる術式特定情報、手術日、患者特定情報に基づいて、手術前に当該患者に対する必要処置を決定し、手術前の患者に対する必要処置が適切に行われているかどうかを管理するために用いる必要処置データを生成する必要処置データ生成手段と、
手術の術式特定情報に対応付けて、当該手術に必要な物的資源を記述した手術対応物的資源データを参照し、前記手術予定データに含まれる術式特定情報、手術日に基づいて、当該手術に必要な物的資源を決定し、手術日までに当該物的資源を確保できるように管理するために用いる必要物的資源データを生成する必要物的資源データ生成手段として機能させるための手術関連業務支援プログラム。
【発明の詳細な説明】
【技術分野】
【０００１】
この発明は、手術に関連した業務を支援する装置に関するものである。
【背景技術】
【０００２】
コンピュータを用いて、手術の実施を管理することが行われている。たとえば、特許文献１には、手術の実施予定時刻と実際の実施時刻とに基づいて、実施状況を管理するシステムが開示されている。
【０００３】
また、特許文献２には、手術において使用した機材や人などの情報を正確に把握し、手術業務を見直すためのシステムが開示されている。
【０００４】
これらシステムを用いることにより、手術業務を、正確に効率的に運用することが可能となる。
【先行技術文献】
【特許文献】
【０００５】
【特許文献１】特許４７８１０８５号
【特許文献２】特許４６９０１０７号
【発明の概要】
【発明が解決しようとする課題】
【０００６】
しかしながら、上記のような従来技術では、手術自体の効率化を図ることは可能であるものの、手術の前後における患者に対する処置、手術に必要な機器や器具の準備について、効率的な管理を行うことはできなかった。また、手術に必要な機器や器具の準備は、事前に分かっていれば、予め用意をして置いておくことができるのに対し、手術の前後における患者に対する処置は主として人（看護師）が患者に対してその場で行うものであり、事前に準備をしておくことができない。
【０００７】
このようなこともあって、手術に必要な機器や器具の準備と、手術の前後における患者に対する処置とを、手術計画としてまとめて管理できるシステムはなかった。また、手術に必要な機器や器具の準備だけをみても、手術室や手術機器のように代替性が無く数に限りがあるものについての管理と、メスなど滅菌によって繰り返し使用できたり、あるいは使い捨てであったりするものについての管理を、統合して行うことのできるシステムはなかった。
【０００８】
この発明は上記のような問題点を解決して、上記を統合して管理し、効率よく手術関連業務を行うことができるように支援する装置を提供することを目的とする。
【課題を解決するための手段】
【０００９】
この発明においては、上記のいずれかの問題を解決するため、以下のような手段を採用している。なお、以下に示す特徴は、それぞれ独立して採用可能なものである。
【００１０】
(1)(2)この発明に係る手術関連業務支援装置は、手術の術式特定情報に対応付けて、少なくとも当該手術の術前に必要な処置を記述した手術対応処置データと、手術の術式特定情報に対応付けて、当該手術に必要な代替性物的資源を記述した手術対応代替性物的資源データとを記録した記録部と、術式特定情報と、執刀関連人的資源と、非代替性物的資源と、手術日と、患者特定情報とを少なくとも含む手術予定を手術予定データとして記録する手術予定データ記録手段と、前記手術対応処置データを参照し、前記手術予定データに含まれる術式特定情報、手術日、患者特定情報に基づいて、手術前に当該患者に対する必要処置を決定し、手術前の患者に対する必要処置が適切に行われているかどうかを管理するために用いる必要処置データを生成する必要処置データ生成手段と、前記手術対応代替性物的資源データを参照し、前記手術予定データに含まれる術式特定情報、手術日に基づいて、当該手術に必要な代替性物的資源を決定し、手術日までに当該代替性物的資源を確保できるように管理するために用いる必要代替性物的資源データを生成する必要代替性物的資源データ生成手段とを備えている。
【００１１】
したがって、手術予定データの生成から、手術前の必要処置、代替性物的資源の確保までを一貫して管理することができる。
【００１２】
(3)この発明に係る手術関連業務支援装置は、執刀関連人的資源は、少なくとも、執刀医、麻酔医、助手、看護師のいずれか一つを含み、非代替性物的資源は、少なくとも、手術室、手術機器のいずれか一つを含み、代替性物的資源は、少なくとも、使い捨ての手術器具、滅菌処理によって再利用可能な手術器具のいずれか一つを含むことを特徴としている。
【００１３】
したがって、手術室、手術機器の割り当て、手術器具の確保を適切に行うことができる。
【００１４】
(4)この発明に係る手術関連業務支援装置は、手術前の必要処置は、少なくとも、看護師が行う、検温、リストバンド装着、担当医からの説明の完了の確認いずれか一つを含むことを特徴としている。
【００１５】
したがって、看護師の行う術前処置を適切に管理することができる。
【００１６】
(5)この発明に係る手術関連業務支援装置は、手術前の必要処置が適切に行われているかどうかの管理は、必要処置データに基づいて、各看護師によって処理されるべき処置を記録しておき、個々の処置が完了した旨を受けると、次の処置を行う看護師に対して連絡することによって行われることを特徴としている。
【００１７】
したがって、ワークフロー方式の管理に接続して、適切な術前処置の管理を行うことができる。
【００１８】
(6)この発明に係る手術関連業務支援装置は、サーバ装置として構築されていることを特徴としている。
【００１９】
したがって、ネットワークを用いて、情報を共有しながら処理を進めることができる。
【００２０】
(7)この発明に係る手術関連業務支援方法は、コンピュータによる手術関連業務支援方法であって、コンピュータが、術式特定情報と、執刀関連人的資源と、非代替性物的資源と、手術日と、患者特定情報とを少なくとも含む手術予定を手術予定データとして記録し、コンピュータが、手術の術式特定情報に対応付けて、少なくとも当該手術の術前に必要な処置を記述した手術対応処置データを参照し、前記手術予定データに含まれる術式特定情報、手術日、患者特定情報に基づいて、手術前に当該患者に対する必要処置を決定し、手術前の患者に対する必要処置が適切に行われているかどうかを管理するために用いる必要処置データを生成し、コンピュータが、手術の術式特定情報に対応付けて、当該手術に必要な代替性物的資源を記述した手術対応代替性物的資源データを参照し、前記手術予定データに含まれる術式特定情報、手術日に基づいて、当該手術に必要な代替性物的資源を決定し、手術日までに当該代替性物的資源を確保できるように管理するために用いる必要代替性物的資源データを生成することを特徴としている。
【００２１】
したがって、手術予定データの生成から、手術前の必要処置、代替性物的資源の確保までを一貫して管理することができる。
【００２２】
(8)(9)この発明に係る手術関連業務支援装置は、手術の術式特定情報に対応付けて、少なくとも当該手術の術前に必要な処置を記述した手術対応処置データと、手術の術式特定情報に対応付けて、当該手術に必要な物的資源を記述した手術対物的資源データとを記録した記録部と、術式特定情報と、執刀関連人的資源と、手術日と、患者特定情報とを少なくとも含む手術予定を手術予定データとして記録する手術予定データ記録手段と、前記手術対応処置データを参照し、前記手術予定データに含まれる術式特定情報、手術日、患者特定情報に基づいて、手術前に当該患者に対する必要処置を決定し、手術前の患者に対する必要処置が適切に行われているかどうかを管理するために用いる必要処置データを生成する必要処置データ生成手段と、前記手術対応物的資源データを参照し、前記手術予定データに含まれる術式特定情報、手術日に基づいて、当該手術に必要な物的資源を決定し、手術日までに当該物的資源を確保できるように管理するために用いる必要物的資源データを生成する必要物的資源データ生成手段とを備えている。
【００２３】
したがって、手術予定データの生成から、手術前の必要処置、物的資源の確保までを一貫して管理することができる。
【００２４】
この発明において「代替性物的資源」とは、手術の実施に必要な物的資源の内、時間的・経済的な観点から代替可能な物的資源をいうものであり、使い捨てのメス、ピンセット、人工骨などや再利用可能なメスなどがこれに含まれる。
【００２５】
「非代替性物的資源」とは、時間的・経済的な観点から代替できない物的資源をいうものであり、特定された手術室、手術機械（市場で入手可能であるが納期、費用の点から代替困難な場合）などがこれに含まれる。
【００２６】
「手術予定データ記録手段」は、実施形態においては、ステップＳ５６がこれに対応する。
【００２７】
「必要処置データ生成手段」は、実施形態においては、ステップＳ６４がこれに対応する。
【００２８】
「必要代替性物的資源データ生成手段」は、実施形態においては、ステップＳ７４がこれに対応する。
【００２９】
「プログラム」とは、ＣＰＵにより直接実行可能なプログラムだけでなく、ソース形式のプログラム、圧縮処理がされたプログラム、暗号化されたプログラム等を含む概念である。
【図面の簡単な説明】
【００３０】
【図１】この発明の一実施形態による手術関連業務支援装置の全体構成図である。
【図２】手術関連業務支援装置をサーバ装置３０として構築した場合のシステム図である。
【図３】手術関連業務支援サーバ装置３０のハードウエア構成である。
【図４】手術スケジュール決定処理のフローチャートである。
【図５】手術申込データの例である。
【図６】手術予定データの例である。
【図７】術前・術後処置の管理のフローチャートである。
【図８】手術対応処置データの例である。
【図９】必要処置データの例である。
【図１０】処置終了確認画面の例である。
【図１１】手術器具確保のフローチャートである。
【図１２】手術対応代替性物的資源データの例である。
【図１３】必要代替性物的資源データの例である。
【発明を実施するための形態】
【００３１】
１．手術関連業務支援装置の全体構成
図１に、この発明の一実施形態による手術関連業務支援装置の全体構成を示す。記録部８には、手術の術式特定情報に対応付けて、当該手術の術前に必要な処置を記述した手術対応処置データ１２が記録されている。また、記録部８には、手術の術式特定情報に対応付けて、当該手術に必要な代替性物的資源を記述した手術対応代替性物的資源データ１４も記録されている。
【００３２】
手術予定データ記録手段２は、術式特定情報、執刀関連人的資源、非代替物的資源（手術室、手術機器など）、手術日、患者特定情報などを含む手術予定を、記録部８に手術予定データ１０として記録する。
【００３３】
必要処置データ生成手段４は、手術対応処置データ１２を参照して、前記手術予定データ１０に含まれる術式特定情報に基づき、手術前における当該患者に対する必要処置（手術後の必要処置を含んでいてもよい）を決定する。さらに、手術日、患者特定情報を考慮して、当該患者に対し、手術前の必要処理が適切に行われているかどうかを管理するために用いる必要処置データ１６を生成する。必要処置管理手段２０は、生成された必要処理データ１６に基づいて、必要処理の進捗管理を行う。
【００３４】
必要代替性物的資源データ生成手段６は、手術対応代替性物的資源データ１４を参照して、前記手術予定データ１０に含まれる術式特定情報、手術日に基づき、当該手術に必要な代替性物的資源（滅菌済みのメスなど）を決定し、必要代替性物的資源データ１８を生成する。調達管理手段２２は、必要代替性物的資源データ１８に基づいて、代替性物的資源の発注、滅菌処理などの日程を決定する。
【００３５】
以上のようにして、手術予定データに基づいて、手術前に必要な処置を管理し、さらに、代替性のある物的資源（滅菌処理したメス、使い捨ての手術器具など）の調達を管理することができる。また、手術器具などの代替性のある物的資源と、手術室や手術機器などの代替性のない物的資源に分け、後者は執刀関連の人的資源と同様に管理し、前者は調達による管理としている。したがって、物的資源の性質に応じた適切な管理を行うことができる。
【００３６】
２．手術関連業務支援システムのハードウエア構成
図２に、手術関連業務支援装置をサーバ装置として構成した、手術関連業務支援システムを示す。手術関連業務支援サーバ装置３０には、院内ＬＡＮなどを介して、端末装置３２、３４・・・３６が接続されている。端末装置３２、３４・・・３６は、それぞれ、院長室、ナースステーション、調達部門などに配置されている。また、看護師などが携帯用の端末装置を持つようにしてもよい。
【００３７】
図３に、手術関連業務支援サーバ装置３０のハードウエア構成を示す。ＣＰＵ４０には、メモリ４２、通信回路４４、ハードディスク４６、ＤＶＤ−ＲＯＭドライブ４８が接続されている。通信回路４４は、院内ＬＡＮに接続するためのものである。ハードディスク４６には、オペレーティングシステム（ＯＳ）５２、業務支援プログラム５４、手術対応処置データ５６、手術対応代替性物的資源データ５８が記録されている。
【００３８】
業務支援プログラム５４は、オペレーティングシステム５２と協働してその機能を発揮する。これらプログラムは、ＤＶＤ−ＲＯＭ５０に記録されていたものを、ＤＶＤ−ＲＯＭドライブ４８を介して、ハードディスク４６にインストールしたものである。
【００３９】
端末装置３２、３４・・・３６のハードウエア構成も、サーバ装置と同様である。なお、端末装置３２、３４・・・３６には、手術関連業務支援サーバ装置３０からの情報を閲覧するためのブラウザプログラムが記録されている。
【００４０】
３．業務支援プログラムのフローチャート
3.1手術スケジュール決定処理
図４に、業務支援プログラムの処理のうち、手術スケジュール決定処理についてのフローチャートを示す。担当医は、手術の申込を行う場合、端末装置から図５に示すような手術申込データを、手術関連業務支援サーバ装置３０に送信する。手術関連業務支援サーバ装置３０は、これをハードディスク４６に記録する。したがって、手術関連業務支援サーバ装置３０には、各担当医からの手術申込データが記録されることになる。
【００４１】
手術スケジュールの決定を行う医師（たとえば院長）は、端末装置から手術関連業務支援サーバ装置３０にアクセスする。端末装置のＣＰＵ（以下端末装置と省略することあり）は、手術申込データの取得要求を行う（ステップＳ１）。これを受けた手術関連業務支援サーバ装置３０のＣＰＵ４０（以下手術関連業務支援サーバ装置３０と省略することあり）は、ハードディスク４６に記録されている手術申込データを読み出して、端末装置に返信する（ステップＳ５１）。
【００４２】
続いて、端末装置は、医師スケジュール、手術室スケジュール、手術機器スケジュール、スタッフスケジュールの取得要求を、手術関連業務支援サーバ装置３０に対して送信する（ステップＳ２）。これを受けて、手術関連業務支援サーバ装置３０は、ハードディスク４６に記録されている医師のスケジュール、手術室のスケジュール、手術機器のスケジュール、スタッフのスケジュールを読み出して、端末装置に返信する（ステップＳ５２〜Ｓ５５）。
【００４３】
端末装置は、受信したこれらスケジュールを、手術申込データとともに表示する（ステップＳ３）。端末装置を操作する医師は、手術申込データ、スケジュールを参照して、手術を行うことの可能な日と、必要リソース（上記機器や人）の確保を決定して入力する（ステップＳ４）。入力された手術スケジュールは、手術関連業務支援サーバ装置３０に送信される（ステップＳ５）。手術関連業務支援サーバ装置３０は、手術に必要なリソースを確保し（使用予定日を記録する）、手術日を記録する（ステップＳ５６）。また、手術関連業務支援サーバ装置３０は、確保した内容に基づいて、医師、手術室、手術機器、スタッフのスケジュールを更新する。このようにして、手術予定データが生成され、記録される。図６に、記録された手術予定データの例を示す。手術開始日時、終了日時、手術室、手術機器、執刀医、麻酔医、助手などが記述されている。
【００４４】
3.2術前・術後処理の管理
図７に、業務支援プログラムの処理のうち、術前・術後処置の管理についてのフローチャートを示す。術前・術後処置の担当者を決定する看護師（たとえば婦長）は、端末装置から手術関連業務支援サーバ装置３０にアクセスし、術前・術後処置の担当者決定処理要求を行う。
【００４５】
これを受けて、手術関連業務支援サーバ装置３０は、ハードディスク４６に記録されている手術予定データを取得する（ステップＳ６１）。次に、手術関連業務支援サーバ装置３０は、手術予定データに記載されている術式ＩＤを読み出す。たとえば、図６の手術予定データであれば、術式ＩＤとして「５００３０１」を取得することになる。次に、手術関連業務支援サーバ装置３０は、ハードディスク４６に記録されている手術対応処置データ５６を参照し、術式ＩＤに対応する術前・術後に必要な処置を取得する（ステップＳ６２）。この実施形態では、術式ＩＤに対応付けて（手術の種類に対応づけて）、術前・術後に必要な処置を予め記録している。ここでは、術式ＩＤ「５００３０１」に対応する術前・術後に必要な処置として、図９に示すようなデータが読み出されたとする。ジョブ０１〜ジョブ９９まで、処置すべき内容が記述されている。各ジョブにおいては、処置ＩＤ、処置内容、開始期日、処置結果、処置担当者を記述する欄が設けられている。
【００４６】
術前・術後処置の担当者を決定する看護師は、端末装置を操作し、必要処置、看護師スケジュールの要求を送信する（ステップＳ１１）。これを受けて、手術関連業務支援サーバ装置３０は、必要処置、看護師スケジュールを送信する（ステップＳ６３）。
【００４７】
端末装置は、送信されてきた必要処置、看護師スケジュールを表示する。術前・術後処置の担当者を決定する看護師は、これらを参照しながら、必要処置の各ジョブの処置担当者を決定して入力する。端末装置は、入力された処置担当者を、手術関連業務支援サーバ装置３０に送信する（ステップＳ１２）。
【００４８】
これを受けて、手術関連業務支援サーバ装置３０は、ワークフローデータを完成する（ステップＳ６４）。つまり、  図９の必要処置データに、処置担当者が記入されたデータを、ワークフローデータとして完成させる。
【００４９】
続いて、手術関連業務支援サーバ装置３０は、ジョブ０１の開始期日になれば処置担当者に対して、メール（もしくはそれに準ずる手段）にて処置内容を送信する。連絡を受けた処置担当者は、処置が終了すると、端末装置から手術関連業務支援サーバ装置３０に対し、処置終了を送信する。たとえば、図１０に示すような画面にて、処置担当者が、処置内容（図では、患者氏名の確認、リストバンド番号の確認、リストバンド装着）に対してのチェックを端末装置から入力することによって行われる。
【００５０】
これを受けて、手術関連業務支援サーバ装置３０は、ジョブ０１の終了（および開始期日の経過）が開始条件となっている他のジョブについて、処置担当者に対して、メールにて処置内容を送信する。このようにして、ワークフロー処理を進める（ステップＳ６５）。
【００５１】
なお、この実施形態では、業務支援プログラム５４がワークフロー処理を行っているが、ワークフローについては、他のプログラムがこれを行うようにしてもよい。
【００５２】
なお、上記では、術前・術後の処置について管理を行うこととしたが、術前だけ、術後だけを管理するようにしてもよい。
【００５３】
3.3手術器具確保の管理
図１１に、業務支援プログラムの処理のうち、手術器具の確保についてのフローチャートを示す。この処理は、毎日（毎夜１２時などに）実行することが好ましい
手術関連業務支援サーバ装置３０は、ハードディスク４６に記録されている手術予定データを取得する（ステップＳ７１）。複数の未処理の手術予定データがある場合には、これらを全て取得する。
【００５４】
次に、各手術予定データ中の、術式ＩＤを取得する。手術対応代替性物的資源データ５８を参照して、取得した術式ＩＤに対応する必要手術器具を取得する（ステップＳ７２）。手術対応代替性物的資源データ５８は、図１２に示すように、術式ごとに、必要手術器具を記述したものである。
【００５５】
次に、手術関連業務支援サーバ装置３０は、手術予定データ中の手術開始日時に基づいて納期（もしくは納期の基準となる日）を決定し、手術室番号に基づいて納入指定場所を決定する（ステップＳ７３）。手術関連業務支援サーバ装置３０は、全ての手術予定データについて以上の処理を行い、発注・調達データを生成する（ステップＳ７４）。図１３に、発注・調達データの例を示す。必要手術器具として、「アイテム０１」角膜移植キットＡ×２個、「アイテム０２」角膜移植キットＢ×３個、「アイテム０３」ピンセットＡ×８個が記述されている。また、各アイテムには、ユニークな識別子が付されている（図では、３３８５、３３８６、４８９５が付されている）。
【００５６】
次に、手術関連業務支援サーバ装置３０は、各アイテムが、購入すべきものであるか、院内に在庫としてあるものを滅菌して用いるべきものであるかを判断する。この判断は、予め、アイテム識別子に対応付けて、購入すべきか、滅菌再利用かのテーブルが記録されており、これを参照して行う。使い捨ての手術器具は購入すべきものであり、耐久性のあるメスなどは滅菌再利用すべきものとなる。
【００５７】
購入すべきものであると判断した場合、手術関連業務支援サーバ装置３０は、その発注・調達データ（購入すべきと判断したアイテムに関してのみ）を、発注管理プログラムに送信する（ステップＳ７５）。これを受けた発注管理プログラムは、当該アイテムを発注することになる。
【００５８】
また、滅菌再利用すべきものであると判断した場合、手術関連業務支援サーバ装置３０は、その発注・調達データ（滅菌再利用すべきと判断したアイテムに関してのみ）を、滅菌処理管理プログラムに送信する（ステップＳ７６）。これを受けた滅菌処理管理プログラムは、当該アイテムの滅菌依頼などを行うことになる。
【００５９】
４．その他の実施形態
(1)上記実施形態では、手術関連業務支援装置をサーバ装置として構築した場合について説明した。しかし、手術関連業務支援装置を、スタンドアローンの装置として構築してもよい。
【００６０】
(2)上記実施形態では、非代替性物的資源を手術予定データに含めて管理をするようにしている。しかし、手術予定データには、非代替性物的資源を含めないようにしてもよい。この場合、非代替性物的資源は、代替性物的資源と同じように、手術予定データに基づいて、その割り当てを行うようにする。
【００６１】
(3)上記実施形態では、代替性物的資源として、使い捨ての手術器具と滅菌して再利用する手術器具を、それぞれ購入・調達管理している。しかし、いずれか一方のみを管理するようにしてもよい。
【００６２】
(4)上記実施形態では、手術関連業務支援サーバ装置を１つとした場合について説明した。しかし、これら機能を複数のサーバ装置によって実現するようにしてもよい。また、端末装置はブラウザプログラムがインストールされたものとして説明した。しかし、上記のサーバ装置の機能の一部を、端末装置において実行するようにしてもよい。この場合、端末装置には、そのためのプログラムをインストールする必要がある。
【００６３】
(5)上記実施形態では、発注や調達の処理については、他のプログラムが行うようにしている。しかし、これらを含めて、業務支援プログラムが行うようにしてもよい。
【図１】
2016062480.tif 000003
【図２】
2016062480.tif 000004
【図３】
2016062480.tif 000005
【図４】
2016062480.tif 000006
【図７】
2016062480.tif 000007
【図１１】
2016062480.tif 000008
【図５】
2016062480.tif 000009
【図６】
2016062480.tif 000010
【図８】
2016062480.tif 000011
【図９】
2016062480.tif 000012
【図１０】
2016062480.tif 000013
【図１２】
2016062480.tif 000014
【図１３】
2016062480.tif 000015